(57)【要約】【課題】端子がパネルに組み付けられた端子接合構造において、端子の組付性および解体性を向上させる。【解決手段】パネル２は、基板２０の法線方向（矢印Ａ、Ｂ方向）に弾性的に変位する弾性舌片２２と、弾性舌片２２の両側で端子３２を押さえうる一対の押さえ片２３とを備えている。弾性舌片２２の先端は、押さえ片２３の下辺より下側に延出している。端子３２は、弾性舌片２２に係合する舌片係合孔３２ａを備えている。端子３２の組付時には、片手で端子付き電線３を把持し、端子３２で弾性舌片２２を押した後、端子付き電線３を上向きにスライドさせる。端子３２の解体時には、片手で端子付き電線３を把持し、端子付き電線３を下向きにスライドさせる。このように、端子３２の組付作業および解体作業を片手で簡単に行うことができる。【選択図】図１
2007317457.tif 000002
【特許請求の範囲】
【請求項１】
端子が被接合部材に組み付けられた端子接合構造であって、
前記被接合部材は、基板の法線方向に弾性的に変位する弾性舌片を備え、
前記端子は、前記弾性舌片に係合する舌片係合部を備えていることを特徴とする端子接合構造。
【請求項２】
前記被接合部材には、前記弾性舌片の両側で前記端子を押さえうる一対の押さえ片が設けられていることを特徴とする請求項１に記載の端子接合構造。
【請求項３】
前記弾性舌片の先端は、前記押さえ片より外側に延出していることを特徴とする請求項１または２に記載の端子接合構造。
【請求項４】
前記押さえ片には、前記端子を前記基板に押し付ける突起が形成されていることを特徴とする請求項１乃至３のいずれかに記載の端子接合構造。
【請求項５】
基板の法線方向に弾性的に変位する弾性舌片を備えた被接合部材に組み付けられる端子であって、
前記弾性舌片に係合する舌片係合部が設けられていることを特徴とする端子。
【発明の詳細な説明】
【技術分野】
【０００１】
本発明は、車両のパネルに電線を接続する際に適用するに好適な、端子接合構造および端子に関するものである。
【背景技術】
【０００２】
図６は従来の端子接合構造の一例を示す図であって、（ａ）は正面図、（ｂ）は右側面図、図７は図６に示す端子接合構造における端子組付方法の第１工程を示す図、図８は図６に示す端子接合構造における端子組付方法の第２工程を示す図である。
【０００３】
従来、この種の端子接合構造１においては、図６に示すように、金属製のパネル２に端子付き電線３が接続されており、端子３２は、ボルト５およびナット６でパネル２に締結されていた（例えば、特許文献１参照）。
【０００４】
そして、端子付き電線３をパネル２に接続する際には、まず、図７に示すように、端子付き電線３がパネル２から分離した状態から、図８に示すように、パネル２の取付孔２５の手前に端子３２のボルト挿通孔３２ｂを位置決めする。次いで、一方の手でボルト５を把持してボルト挿通孔３２ｂおよび取付孔２５に順次挿通した後、他方の手でナット６を把持してボルト５に螺着する。すると、図６に示すように、端子３２がボルト５およびナット６でパネル２に締結された状態となる。
【０００５】
逆に、端子付き電線３をパネル２から取り外す際には、一方の手でボルト５を把持して固定したまま、他方の手でナット６を回転させて緩める。
【特許文献１】特開平１１−５５８２３号公報（段落〔０００３〕の欄、図３）
【発明の開示】
【発明が解決しようとする課題】
【０００６】
しかし、これでは、次のような課題があった。
【０００７】
第１に、端子付き電線３をパネル２に接続するときも、端子付き電線３をパネル２から取り外すときも、両手を使って作業しなければならないため、端子３２の組付性および解体性が悪い。
【０００８】
第２に、ボルト５およびナット６のコストがかかる。
【０００９】
本発明は、このような事情に鑑み、端子の組付性および解体性を向上させることが可能な、端子接合構造および端子を提供することを目的とする。
【課題を解決するための手段】
【００１０】
まず、請求項１に係る端子接合構造の発明では、端子が被接合部材に組み付けられた端子接合構造であって、前記被接合部材は、基板の法線方向に弾性的に変位する弾性舌片を備え、前記端子は、前記弾性舌片に係合する舌片係合部を備えていることを特徴とする。
また、請求項２に係る端子接合構造の発明では、前記被接合部材には、前記弾性舌片の両側で前記端子を押さえうる一対の押さえ片が設けられていることを特徴とする。
また、請求項３に係る端子接合構造の発明では、前記弾性舌片の先端は、前記押さえ片より外側に延出していることを特徴とする。
また、請求項４に係る端子接合構造の発明では、前記押さえ片には、前記端子を前記基板に押し付ける突起が形成されていることを特徴とする。
また、請求項５に係る端子の発明では、基板の法線方向に弾性的に変位する弾性舌片を備えた被接合部材に組み付けられる端子であって、前記弾性舌片に係合する舌片係合部が設けられていることを特徴とする。
【発明の効果】
【００１１】
本発明によれば、端子の組付作業および解体作業を片手で簡単に行うことができるので、端子の組付性および解体性を向上させることが可能となる。
【００１２】
また、ボルトもナットも使用する必要がないため、ボルトおよびナットのコストを削減することができる。
【発明を実施するための最良の形態】
【００１３】
以下、本発明の実施形態を図面に基づいて説明する。
【００１４】
＜第１の実施形態＞
図１は本発明に係る端子接合構造の第１の実施形態を示す図であって、（ａ）は正面図、（ｂ）は右側面図（一部断面図）、図２は図１に示す端子接合構造における端子組付方法の第１工程を示す図、図３は図１に示す端子接合構造における端子組付方法の第２工程を示す図、図４は図１に示す端子接合構造における端子組付方法の第３工程を示す図である。
【００１５】
端子接合構造１では、図１に示すように、金属製のパネル２に端子付き電線３が接続されている。
【００１６】
ここで、パネル２は、図２に示すように、平板状の基板２０を有しており、基板２０にはＴ字形の切り起こし孔２１が貫通して穿設されている。切り起こし孔２１の上辺中央部には、基板２０の法線方向（矢印Ａ、Ｂ方向）に弾性的に変位する弾性舌片２２が、基板２０からＳ字状に切り起こされた形で下方に向けて延設されている。また、切り起こし孔２１の上辺左右両端部には一対の長方形の押さえ片２３が、弾性舌片２２を挟み込むように形成されている。なお、弾性舌片２２の先端（下端）は、押さえ片２３の下辺より所定の距離Ｄ１だけ下側（外側）に延出している。
【００１７】
一方、端子付き電線３は、図２に示すように、電線３１を有しており、電線３１の先端には金属製の端子３２が導通接続されている。端子３２には長方形の舌片係合孔３２ａが穿設されている。そして、この端子付き電線３は、図１に示すように、端子３２の舌片係合孔３２ａが弾性舌片２２に係合する形でパネル２に接続されている。
【００１８】
端子接合構造１は以上のような構成を有しており、ボルトもナットも用いられていないので、ボルトおよびナットのコストを削減することができる。
【００１９】
そして、端子付き電線３をパネル２に接続する際には、次の作業手順により、端子３２をパネル２に組み付ける。
【００２０】
まず、図２に示すように、端子付き電線３がパネル２から分離した状態から、片手で端子付き電線３を把持し、図３に示すように、パネル２に対して端子付き電線３を所定位置に位置決めする。すなわち、パネル２の弾性舌片２２の先端部の手前に端子３２の上端部を位置させる。
【００２１】
次いで、片手で端子付き電線３を把持したまま、端子３２を前方に押し出して弾性舌片２２の先端に当接させ、さらに、弾性舌片２２の弾性に抗する形でパネル２の基板２０に押し付ける。すると、図４に示すように、弾性舌片２２が矢印Ｂ方向に後退し、端子３２が基板２０に全面的に当接した状態となる。このとき、弾性舌片２２の先端（下端）が押さえ片２３の下辺より下側に延出しているので、この端子付き電線３の押し付け作業は、押さえ片２３との干渉を避けつつ円滑に行うことができる。
【００２２】
こうして端子３２が基板２０に全面的に当接した状態で、片手で端子付き電線３を把持したまま、端子付き電線３を上向きにスライドさせる。すると、端子付き電線３のスライドに伴って端子３２も上向きにスライドし、弾性舌片２２は、その先端が端子３２の舌片係合孔３２ａを裏側から通過して矢印Ａ方向に弾性的に起き上がる形で元に戻る。その結果、図１に示すように、端子３２の舌片係合孔３２ａが弾性舌片２２に係合した状態となる。
【００２３】
ここで、端子３２の組付作業が終了し、図１に示すように、パネル２に端子付き電線３が接続された端子接合構造１が完成する。このとき、端子３２の舌片係合孔３２ａは弾性舌片２２に係合しているので、端子付き電線３がパネル２から脱落することは生じない。しかも、端子３２は基板２０に全面的に当接した状態のままであるため、端子付き電線３とパネル２との導通性を確保することができる。
【００２４】
このようにすれば、パネル２に対する端子３２の組付作業を片手で簡単に行うことができる。したがって、端子３２の組付作業を両手で行う必要がある従来の方法と比べて、端子３２の組付性を向上させることが可能となる。
【００２５】
逆に、端子付き電線３をパネル２から取り外す際には、以下に述べるとおり、組付時と逆の作業手順により、端子３２をパネル２から解体する。
【００２６】
まず、図１に示すように、パネル２に端子付き電線３が接続された状態から、片手で端子付き電線３を把持し、図４に示すように、端子付き電線３を下向きにスライドさせる。すると、端子３２は、端子付き電線３のスライドに伴って下向きにスライドし、弾性舌片２２との係合状態が解除されたところで、図３に示すように、弾性舌片２２の矢印Ａ方向への弾性によって手前に押し戻される。これで、端子付き電線３は、図２に示すように、パネル２から取り外された状態となる。
【００２７】
このようにすれば、パネル２からの端子３２の解体作業を片手で簡単に行うことができる。したがって、端子３２の解体作業を両手で行う必要がある従来の方法と比べて、端子３２の解体性を向上させることが可能となる。
【００２８】
＜第２の実施形態＞
図５は本発明に係る端子接合構造の第２の実施形態を示す図であって、（ａ）は正面図、（ｂ）は右側面図（一部断面図）である。
【００２９】
この端子接合構造１は、図５に示すように、各押さえ片２３の内面にそれぞれ半球状の突起２６がパネル２の基板２０側に突出するように形成されている点を除き、上述した第１の実施形態と同様の構成を有している。
【００３０】
この場合、端子３２は、舌片係合孔３２ａが弾性舌片２２に係合したときに、図５（ｂ）に示すように、突起２６によってパネル２に強く押し付けられた状態となるため、端子付き電線３とパネル２との導通性を一層向上させることができる。
【００３１】
＜その他の実施形態＞
上述の実施形態においては、舌片係合部として長方形の舌片係合孔３２ａを採用した場合について説明したが、舌片係合孔３２ａの形状は長方形に限るわけではない。また、舌片係合孔３２ａ以外の舌片係合部（例えば、舌片係合凹部など）を代用することも可能である。
【００３２】
上述の実施形態においては、被接合部材がパネル２である場合について説明したが、パネル２以外の被接合部材に本発明を適用することもできる。
【産業上の利用可能性】
【００３３】
本発明は、自動車、航空機、電車、製造プラント、電化製品、ＯＡ機器など各種の産業分野に広く適用することができる。
【図面の簡単な説明】
【００３４】
【図１】本発明に係る端子接合構造の第１の実施形態を示す図であって、（ａ）は正面図、（ｂ）は右側面図（一部断面図）である。
【図２】図１に示す端子接合構造における端子組付方法の第１工程を示す図である。
【図３】図１に示す端子接合構造における端子組付方法の第２工程を示す図である。
【図４】図１に示す端子接合構造における端子組付方法の第３工程を示す図である。
【図５】本発明に係る端子接合構造の第２の実施形態を示す図であって、（ａ）は正面図、（ｂ）は右側面図（一部断面図）である。
【図６】従来の端子接合構造の一例を示す図であって、（ａ）は正面図、（ｂ）は右側面図である。
【図７】図６に示す端子接合構造における端子組付方法の第１工程を示す図である。
【図８】図６に示す端子接合構造における端子組付方法の第２工程を示す図である。
【符号の説明】
【００３５】
１……端子接合構造
２……パネル（被接合部材）
２０……基板
２１……切り起こし孔
２２……弾性舌片
２３……押さえ片
２５……取付孔
２６……突起
３……端子付き電線
３１……電線
３２……端子
３２ａ……舌片係合孔（舌片係合部）
３２ｂ……ボルト挿通孔
５……ボルト
６……ナット
【図１】
2007317457.tif 000003
【図２】
2007317457.tif 000004
【図３】
2007317457.tif 000005
【図４】
2007317457.tif 000006
【図５】
2007317457.tif 000007
【図６】
2007317457.tif 000008
【図７】
2007317457.tif 000009
【図８】
2007317457.tif 000010